(57)【要約】【課題】鍵盤楽器の鍵構造において、鍵に埋設する錘２を製造工程の手間を省いて簡単に製造できるようにする。【解決手段】鍵１を木材等の鍵本体部１１とアクリル等の鍵上面部１２とで構成する。鍵本体部１１に下面から円柱状の埋設孔１３を形成する。埋設孔１３内に錘２を挿入し、接着剤で接着固定する。薄手の板金２１を打ち抜きで多数形成する。１つまたは複数の板金２１を「質量素片」として積層して接着し、錘２を構成する。錘２円柱状の金属の錘２を挿入し、接着剤Ｓで接着固定する。または、「質量素片」は金属棒として複数の金属棒により錘を構成する。または、「質量素片」は金属粒子として複数の金属粒子て錘を構成する。鍵域に応じて「質量素片」の数を異ならせて錘の重さを換え、低音域と高音域のタッチ感を調整する。【選択図】図１
2009244508.tif 000002
【特許請求の範囲】
【請求項１】
非金属の中実部材を鍵本体部とし、
前記鍵本体部の下面に開口部を有した埋設孔が形成され、
前記埋設孔に錘が挿入された鍵盤楽器の鍵構造であって、
前記埋設孔に挿入された前記錘が、複数の質量素片を一纏めにすることで構成されていることを特徴とする鍵盤楽器の鍵構造。
【請求項２】
鍵域によって前記錘を構成する前記質量素片の数が異なることを特徴とする請求項１に記載の鍵盤楽器の鍵構造。
【請求項３】
前記質量素片が板金または金属棒または金属粒子であることを特徴とする請求項１または２に記載の鍵盤楽器の鍵構造。
【請求項４】
非金属の中実部材を鍵本体部とし、
前記鍵本体部の下面に開口部を有した埋設孔が形成され、
前記埋設孔に錘が挿入され、
前記埋設孔に挿入された前記錘が、金属板または金属棒を曲げて一纏めにすることで構成されていることを特徴とする鍵盤楽器の鍵構造。
【発明の詳細な説明】
【技術分野】
【０００１】
本発明は、電子鍵盤楽器等の鍵盤楽器に係わり、詳細には鍵のタッチ感を得るために錘を備えた鍵盤楽器の鍵構造に関する。
【背景技術】
【０００２】
従来、鍵盤楽器の鍵構造として、鍵にカウンターウエイトを取り付ける場合、鍵本体部に横方向に孔をあけ、その中に鉛等の錘を入れ、左右から圧力をかけることで鉛を変形させ、鍵本体部に固着させていた。
【０００３】
また、特開平９−２８１９６７号公報（特許文献１）には、鍵の横から幅方向に孔を形成してその中に錘を装着するようにしたものが開示されている。また、特開平７−２１９５１７号公報（特許文献２）には、木材等の鍵本体部にその下面から厚さ方向（上下方向）に埋設孔を形成し、この埋設孔内に鉛により構成された鍵盤錘を埋設するようにしたものが開示されている。
【特許文献１】特開平９−２８１９６７号公報
【特許文献２】特開平７−２１９５１７号公報
【発明の開示】
【発明が解決しようとする課題】
【０００４】
ところで、特にハンマー付きの鍵盤装置において、カウンターウエイトとして鍵に錘を取り付けたい場合、それなりの重さ、それなりの大きさの錘を鍵に取り付けなければならない。また、環境問題の高まりから錘として鉛の使用が制限されるようになり、コストと比重から実質上、鉄を用いることが考えられるが、鉛相当の重さを得るためには大きな錘が必要となる。また、鍵に取り付ける以上、ハンマーのように長いものや、鍵からはみ出すような幅の広いものは実装できず、錘はいわゆる「塊り」の形状にならざるを得ない。
【０００５】
このように、重い錘を付けたい場合、その錘として太い金属棒を用いる場合、切断には時間がかかり、また、厚い金属板を用いる場合、簡単に型抜きができず、製造に手間を要するという問題がある。また、単純に塊り形状を製造するには削り出しや鋳造が考えられるが、１台で何十鍵もある鍵盤装置用に錘を作ると、手間もかかる上、鍵域等に応じて錘の重さに違いを持たせるような場合、作り分けなければならず、さらに手間がかかる。
【０００６】
本発明は、上記の問題点に鑑みてなされたものであり、鍵本体に埋設する錘の構造を改良して、製造手間を低減した鍵盤楽器の鍵構造を提供することを課題とする。
【課題を解決するための手段】
【０００７】
請求項１の鍵盤楽器の鍵構造は、鍵本体部の埋設孔に挿入する錘を、複数の質量素片を一纏めにすることで構成した。
【０００８】
請求項２の鍵盤楽器の鍵構造は、請求項１に記載の鍵盤楽器の鍵構造において、鍵域によって錘を構成する質量素片の数を異ならせるようにした。
【０００９】
請求項３の鍵盤楽器の鍵構造は、請求項１または２に記載の鍵盤楽器の鍵構造において、質量素片を板金または金属棒または金属粒子とした。
【００１０】
請求項４の鍵盤楽器の鍵構造は、鍵本体部の埋設孔に挿入する錘を、金属板または金属棒を曲げて一纏めにすることで構成した。
【００１１】
好適な例Ａとして、請求項１において、前記質量素片が板金であって、この板金がハーフパンチまたはネジ等により少なくとも２つ以上同士が一体化されていることを特徴とする鍵盤楽器の鍵構造でもよい。
【００１２】
好適な例Ｂとして、請求項２おいて、前記質量素片が板金であって、鍵域により板金の形状、大きさが異なることを特徴とする鍵盤楽器の鍵盤構造でもよい。
【００１３】
好適な例Ｃとして、好適な例Ａ、好適な例Ｂにおいて、前記板金の打ち抜きの形状が略四角形であることを特徴とする鍵盤楽器の鍵構造でもよい。
【００１４】
好適な例Ｄとして、請求項１において、前記質量素片が切断された金属棒であって、この金属棒のうち少なくとも２つ以上が接着剤や他部品により一体化されていることを特徴とする鍵盤楽器の鍵構造でもよい。
【００１５】
好適な例Ｅとして、請求項４において、前記錘が金属板を折りたたんで構成されていることを特徴とする鍵盤楽器の鍵構造でもよい。
【００１６】
好適な例Ｆとして、請求項４において、前記錘が、金属板を巻いて構成されていることを特徴とする鍵盤楽器の鍵構造でもよい。
【００１７】
好適な例Ｇとして、請求項４において、前記錘が、金属棒（金属線材）をコイル状に巻いて構成されていることを特徴とする鍵盤楽器の鍵構造でもよい。
【００１８】
好適な例Ｈとして、好適な例Ｅ、Ｆ、Ｇにおいて、鍵域によって金属板または金属棒の長さをにより錘の重さに差をつけるようにしたことを特徴とする鍵盤楽器の鍵構造でもよい。
【００１９】
好適な例Ｉとして、請求項１において、前記質量素片が金属粒子であって、この金属粒子が接着剤、樹脂などのつなぎにより一体化されていることを特徴とする鍵盤楽器の鍵構造でもよい。
【００２０】
好適な例Ｊとして、好適な例Ｈ、Ｉにおいて、鍵域によって金属粒子の数により錘の重さに差をつけるようにしたことを特徴とする鍵盤楽器の鍵構造でもよい。
【発明の効果】
【００２１】
請求項１の鍵盤楽器の鍵構造によれば、錘を複数の質量素片を一纏めにすることで構成しているので、金属塊の単体からなる錘を加工するよりも、小さな質量素片を加工すいる方が容易であり、錘付きの鍵の製造工数を削減することができる。
【００２２】
請求項２の鍵盤楽器の鍵構造によれば、請求項１の効果に加えて、低音の鍵域のタッチを重く、高音の鍵域のタッチを軽くするなど、ピアノのタッチに近いタッチ感が得られるとともに、錘の重さを容易に設定できるので、このタッチ感の設定が容易になる。
【００２３】
請求項３の鍵盤楽器の鍵構造によれば、請求項１または２の効果に加えて、質量素片が板金の場合はプレスで打ち抜いて形成するのが簡単である。質量素片が金属棒または金属粒子の場合は長尺の金属線剤を切断して形成するのが簡単であるとともに段材がでないので材料を有効に利用できる。
【００２４】
請求項４の鍵盤楽器の鍵構造によれば、錘を金属板または金属棒を曲げて一纏めにすることで構成しているので、金属塊の単体からなる錘を加工するよりも、薄い金属板や細い金属棒を曲げるなどすればよいので、錘付きの鍵の製造工数を削減することができる。
【発明を実施するための最良の形態】
【００２５】
以下、図面を参照して本発明の実施の形態について説明する。なお、以下の各実施形態において同様な要素には同符号を付記し、重複する説明は適宜省略する。以下の実施形態の鍵は電子鍵盤楽器のものであるがアコースティックピアノ等の鍵としても適用できある。また、以下の実施形態では白鍵を例に説明するが、黒鍵でも同様な構造を適用することができる。
【００２６】
図１は本発明の鍵盤楽器の鍵構造の第１実施形態を示す図であり、図１(A) は鍵の縦断面図、図１(B) は鍵の水平断面図である。図２は第１実施形態における錘の分解斜視図である。この第１実施形態の鍵１は、鍵本体部１１、鍵１の操作面をなす鍵上面部１２を有している。鍵本体部１１は、スプルスやバースウッドなどの木材で構成され、鍵上面部１２はアクリルなどのプラスチックで構成されている。そして、この鍵上面部１２は鍵本体部１１の上面の前部から後方部にかけて接着されている。
【００２７】
鍵本体部１１の所定位置には埋設孔１３が形成されており、この埋設孔１３内に、鍵１の押鍵時に所望の鍵タッチ感を得るための金属等の錘２を備えている。埋設孔１３は直方体形状の孔であり、鍵本体部１１の下面から厚さ方向（上下方向）に所定深さまで形成されている。すなわち、この埋設孔１３は、鍵上面部１２に届かない位置までしか形成されていない。
【００２８】
錘２は埋設孔１３内に挿入可能な外形が直方体の形状をしている。詳細には、図２に示すよに、金属板を打ち抜いて形成した「質量素片」としての板金２１を複数接着剤で貼り合わせて、この板金２１を一体化して錘２が形成されている。そして、この錘２は鍵本体部１１の埋設孔１３内に挿入され接着剤等で接着固定されている。なお、後述の第７実施形態のように埋設孔１３の開口部を蓋で埋めるようにしてもよい。
【００２９】
このように板金２１を１または複数用いて形成した錘２は、図示しないハンマーウエイトに比べて実装の自由度が小さい鍵１に重い錘を取り付けようとした場合には非常に有効な手段となる。また、板金２１のように薄板であれば、プレスで打ち抜くのは簡単であり、シャーリングのような方法でも良い。これにより、錘として大きな塊を作る必要がなく、製造工程も簡略化され、手間も省ける。
【００３０】
図３は第２実施形態の鍵構造における錘２を示す図、図４は第３実施形態の鍵構造における錘２を示す図であり、これら各実施形態の錘２は第１実施形態と同様に鍵本体部１１の埋設孔１３内に挿入され、接着固定される。この第２実施形態及び第３実施形態は、第１実施形態と同様な板金２１を複数用いて錘２を構成するときの板金２１の一体化の方法の一例である。第２実施形態は複数の板金２１をハーフパンチにより一体化したものである。また、第３実施形態は複数の板金２１をネジＮにより一体化したものである。これにより、錘２が板金２１を一体にしたものであり、鍵１に取り付ける際の作業性が向上する。また、接着剤が一部はがれても板金２１が落ちないなど品質も向上する。
【００３１】
図５は第４実施形態の鍵構造を示す図であり、図５(A) は低音域の鍵１の縦断面図、図５(B) は中音域の鍵１の縦断面図、図５(C) は高音域の鍵１の縦断面図である。この第４実施形態は、鍵域によって板金２１の枚数を異ならせるようにしたものである。
【００３２】
一般的に、アコースティックピアノの鍵盤のタッチは低音が重く高音が軽い。電子ピアノでもこれにならって、図示しないハンマーの重さを鍵域で変えることで低音側を重く、高音側を軽くしている。しかし、質量感のあるピアノらしさは演出できても実際には静荷重が低音域の方が上がりすぎてしまい、タッチ的には好ましい面だけではない。そこで鍵１にカウンターウエイトとしての錘２を付ける際にハンマーの重さに合わせてこちらも調節することにより、ピアノらしいタッチの重さ感と演奏性を両立できるようになる。
【００３３】
そのための手法としてこの第４実施形態のように、カウンターウエイトを構成する錘２において、板金２１の枚数を鍵域毎に変えてやることで所望の重さのウエイトを簡単に製造することが可能なり、１種類の製造工程で複数の錘２を作り分けることが出来るようになる。
【００３４】
図６は第５実施形態の鍵構造における錘２を示す図である。この第５実施形態における錘２は、鍵域により板金２１の形状、大きさを異ならせたものである。図６(A1)及び図６(A2)は低音域の鍵の錘２を示し、図６(B1)及び図６(B2)は高音域の鍵の錘２を示している。すなわち、第４実施形態（図５）とは逆に、打ち抜きの板金２１の抜き型が複数ある場合には、図６(A１)及び(B１)のように、この抜きの形、大きさを変えることにより前記第４実施形態と同様の効果を得ることが出来る。例えば積層を同じ型上の複数の抜き穴で行うようにした場合には、積層枚数を同じにしたまま重さを変えることが可能となる。
【００３５】
以上の各実施形態では板金２１の打ち抜きの形状が略四角形である。したがって、図７(A1)に示すように、無駄となる抜きしろを小さくすることが可能となり、また、図７(A2)に示すように、横幅の規制されている鍵１に実装する際にも実装効率が高くなる。例えば図７(B1) に示すように、円形に抜くと円と円の間が無駄になり、図７(B2)に示すように、実装時にも鍵１の側壁が薄くならないようにあまり大きく出来ないなどの問題がある。が前記各実施形態ではこのようなことがない。
【００３６】
図８は第６実施形態の鍵構造を示す図であり、図８(A) は鍵１の縦断面図、図８(B) は鍵１の水平断面図である。図９は第６実施形態の錘の一部分解斜視図である。この第６実施形態は、鍵１に取り付けられた錘２が複数の切断された「質量素片」としての金属棒２２により構成したものである。そして、この錘２は鍵本体部１１の埋設孔１３内に挿入され接着剤等で接着固定されている。なお、後述の第７実施例のように埋設孔１３の開口部を蓋で埋めるようにしてもよい。
【００３７】
なお、金属棒２２の断面は丸でも四角でも何でも可だが、丸にした場合は入手性が高く、四角にした場合は実装時の密度を高くできる。また、複数の金属棒２２を集めて錘２とすると、「端材」が出ない、板材などと比較して加工が容易なため加工機械を小型化できる、などの効果がある。また、金属棒２２の本数によって錘２の重さを調節できるため、前記第４実施形態及び第５実施形態のようにハンマー側の錘の重さに応じて、錘２を構成する金属棒２２の数を変えることで、タッチ感を調整することが容易になる。
【００３８】
また、図９(B)及び図９(C) はは、金属棒２２の一体化の例である。図６(B) は、複数の金属棒２２を接着剤５により一体化したものである。また、図６(C) は、複数の金属棒２２を締結部材６のような別部品で一体化したものである。バラバラの金属棒２２のハンドリングは難しい上、個数の管理が難しくなる。そこで、ある程度の数量（出来れば１鍵分）の金属棒２２を一体化させておくことでこれらの問題を解決することができる。
【００３９】
図１０は第７実施形態の鍵構造を示す図であり、図１０(A) は鍵１の縦断面図、図１０(B) は鍵１の水平断面図である。この第７実施形態は、鍵１に取り付けられた錘３を「質量素片」としての粒状の金属粒子３１で構成したものである。すなわち、鍵１の埋設孔１３に多数の金属粒子３１を埋め込み、この埋設孔１３の開口部分に蓋７を嵌め込んだものである。
【００４０】
なお、この金属粒子３１の代わりに、粒状のものとして砂状部材でもよいし、棒材を短く切断したものでもよい。例えば「質量素片」として、砂を使えば元々の素材は加工をする必要がないので工数削減につながる。
【００４１】
図１１は第８実施形態の盤構造を示す図であり、図１１(A) は鍵１の縦断面図、図１１(B) は鍵１の水平断面図である。この第８実施形態は、鍵１に取り付けられた錘４を「質量素片」としての粒状の金属粒子４１と接着剤４２とで構成したものである。すなわち、鍵１の埋設孔１３に多数の金属粒子４１を埋め込み、この埋設孔１３に接着剤４２を流し込んで乾燥させ、錘４を構成している。なお、接着剤４２の変わりに樹脂等でもよい。
【００４２】
このように接着剤や樹脂等で一体化されていることにより、前記の蓋７が不要になる。一体化は鍵１の埋設孔１３に入れる前に行えば、錘４ののハンドリングが容易になるし、鍵１の埋設孔１３に入れた後に行うと、鍵１への固定も一緒に行われるため工数削減につながる。
【００４３】
なお、前記第７実施形態や第８実施形態のように。金属粒子を「質量素片」として用いる場合、鍵域によって金属粒子や砂等の量により錘の重さに差をつけることで、前記実施形態のように、ハンマーの錘の重さに応じて鍵１側の錘の重さを変えることでタッチを調整することができる。
【００４４】
図１２は錘の他の実施形態を示す図であり、図１２(A) は、錘２を金属板を折りたたんで作ったものであり、板を積層する代わりに、折りたたむことでも近い形状を得ることが出来る。曲げ工程だけのため、加工機も単純なもので良くなる。図１２(B) は、錘２を金属板を巻いて作ったものであり、鍵への実装効率は下がるが、折りたたむよりも加工は容易である。図１２(C) は錘２を棒を曲げて作ったものであり、このように棒を曲げた錘２でも、前記第６実施形態と同様な効果が得られる。図１２(D) は、錘２を線材をコイル状に巻いて作ったものであり、このように線材をコイル状に丸めて平板に近い形状の錘２も作れる。
【００４５】
このような図１２の錘の場合に、鍵域によって素材の大きさ、長さにより錘２の重さに差をつけることで、前記同様に、ハンマー側の錘の重さに応じて鍵側の錘を調整し、タッチの調整が可能となる。
【図面の簡単な説明】
【００４６】
【図１】本発明の鍵盤楽器の鍵構造の第１実施形態を示す図である。
【図２】第１実施形態における鍵の錘の分解斜視図である。
【図３】本発明の第２実施形態の鍵構造における錘を示す図である。
【図４】本発明の第３実施形態の鍵構造における錘を示す図である。
【図５】本発明の第４実施形態の鍵構造を示す図である。
【図６】第５実施形態における錘を示す図である。
【図７】本発明の実施形態における板金の形状とその効果を説明する図である。
【図８】本発明の第６実施形態の鍵構造を示す図である。
【図９】第６実施形態における錘の一部分解斜視図である。
【図１０】本発明の第７実施形態の鍵構造を示す図である。
【図１１】本発明の第８実施形態の盤構造を示す図である。
【図１２】本発明における錘の他の実施形態を示す図である。
【符号の説明】
【００４７】
１…鍵、２，３，４…錘、１３…埋設孔、２１…板金（質量素片）、２２…金属棒（質量素片）、３１，４１…金属粒子（質量素片）
【図１】
2009244508.tif 000003
【図２】
2009244508.tif 000004
【図３】
2009244508.tif 000005
【図４】
2009244508.tif 000006
【図５】
2009244508.tif 000007
【図６】
2009244508.tif 000008
【図７】
2009244508.tif 000009
【図８】
2009244508.tif 000010
【図９】
2009244508.tif 000011
【図１０】
2009244508.tif 000012
【図１１】
2009244508.tif 000013
【図１２】
2009244508.tif 000014